(57)【特許請求の範囲】
【請求項１】
階段の天井部分の施工のための階段仮設足場において、 
階段の桁方向及び幅方向に間隔を隔てて階段の踏面に立設され、階段の側壁近傍又は手摺近傍の側部帯域に配置される支柱と、 
前記支柱に支持されて該支柱の間に架設され、両側の前記側部帯域において桁方向に延びる段付き斜行梁又は水平桁梁と、 
階段の両側の前記支柱に支持されて該支柱の間に架設され、階段の幅方向に延びる横架材と、 
階段の幅方向に配向され、前記天井部分の下側に作業床を形成する足場板とを有し、 
前記支柱は、高さ方向に間隔を隔てて配置された複数の支承部を有し、該支承部は、前記斜行梁又は水平桁梁の端部に設けられた係止具を支承するとともに、前記横架材の端部に設けられた係止具を支承し、
桁方向に間隔を隔てて配置された横架材の間には、桁方向に延びる段付き斜行小梁又は水平小梁が架設され、該斜行小梁又は水平小梁の各端部は、前記横架材によって支承され、前記足場板は、前記斜行梁又は水平桁梁と前記斜行小梁又は水平小梁とによって水平に支承されることを特徴とする階段仮設足場。
【請求項２】
階段の天井部分の施工のための階段仮設足場において、 
階段の桁方向及び幅方向に間隔を隔てて階段の踏面に立設され、階段の側壁近傍又は手摺近傍の側部帯域に配置される支柱と、 
前記支柱に支持されて該支柱の間に架設され、両側の前記側部帯域において桁方向に延びる段付き斜行梁又は水平桁梁と、 
階段の両側の前記支柱に支持されて該支柱の間に架設され、階段の幅方向に延びる横架材と、 
階段の幅方向に配向され、前記天井部分の下側に作業床を形成する足場板とを有し、 
前記支柱は、高さ方向に間隔を隔てて配置された複数の支承部を有し、該支承部は、前記斜行梁又は水平桁梁の端部に設けられた係止具を支承するとともに、前記横架材の端部に設けられた係止具を支承し、
前記支柱は、所定間隔を隔てて並列配置された複数の縦管を前記支承部によって相互連結した複合構造の鋼製組立柱からなることを特徴とする階段架設足場。
【請求項３】
前記支承部は、前記係止具を係止可能な係止溝を有することを特徴とする請求項１又は２に記載の階段仮設足場。
【請求項４】
前記斜行梁又は水平桁梁の端部には、該斜行梁又は水平桁梁を前記支柱に固定するための緊締具が取付けられ、上記横架材の端部には、該横架材を前記支柱に固定するための緊締具が取付けられることを特徴とする１乃至３のいずれか１項の階段仮設足場。
【請求項５】
前記斜行梁は、前記足場板を支承する複数の水平部分を階段状に配列してなる足場板支持体を有し、前記足場板は、前記足場板支持体に支承され、前記天井部分の下側に延在する階段状の作業床を階段の上部空間に形成することを特徴とする請求項１乃至４のいずれか１項に記載の階段仮設足場。
【請求項６】
前記水平桁梁は、前記足場板を支承し、前記足場板は、前記天井部分の下側に延在する全体的に水平な作業床を階段の上部空間に形成することを特徴とする請求項１乃至４のいずれか１項に記載の階段仮設足場。
【請求項７】
桁方向に間隔を隔てて配置された横架材の間には、桁方向に延びる段付き斜行小梁又は水平小梁が架設され、該斜行小梁又は水平小梁の各端部は、前記横架材によって支承され、前記足場板は、前記斜行梁又は水平桁梁と前記斜行小梁又は水平小梁とによって水平に支承されることを特徴とする請求項２に記載の階段仮設足場。
【請求項８】
階段の天井部分の施工のための階段仮設足場において、 
階段の勾配方向及び幅方向に間隔を隔てて階段の踏面に立設され、階段の側壁近傍又は手摺近傍の側部帯域に配置される支柱と、 
前記支柱に支持されて該支柱の間に架設され、両側の前記側部帯域において前記勾配方向に延びる段付き斜行梁と、 
階段の両側の前記支柱に支持されて該支柱の間に架設され、階段の幅方向に延びる横架材と、 
階段の幅方向に配向され、前記天井部分の下側に作業床を形成する足場板とを有し、 
前記斜行梁は、前記足場板を支承する複数の水平部分を階段状に配列してなる足場板支持体を有し、 
前記足場板は、前記足場板支持体に支承され、前記天井部分の下側に延在する階段状の作業床を階段の上部空間に形成し、
前記支柱は、前記勾配方向に所定間隔を隔てて並列配置された複数の縦管を補強材によって相互連結した複合構造の鋼製組立柱からなることを特徴とする階段仮設足場。
【請求項９】
階段の天井部分の施工のための階段仮設足場において、 
階段の勾配方向及び幅方向に間隔を隔てて階段の踏面に立設され、階段の側壁近傍又は手摺近傍の側部帯域に配置される支柱と、 
前記支柱に支持されて該支柱の間に架設され、両側の前記側部帯域において前記勾配方向に延びる段付き斜行梁と、 
階段の両側の前記支柱に支持されて該支柱の間に架設され、階段の幅方向に延びる横架材と、 
階段の幅方向に配向され、前記天井部分の下側に作業床を形成する足場板とを有し、 
前記斜行梁は、前記足場板を支承する複数の水平部分を階段状に配列してなる足場板支持体を有し、 
前記足場板は、前記足場板支持体に支承され、前記天井部分の下側に延在する階段状の作業床を階段の上部空間に形成し、
前記勾配方向に延びる段付き斜行小梁が前記横架材の間に架設され、前記斜行小梁の各端部は、前記横架材によって支承され、該斜行小梁は、前記足場板を支承する複数の水平部分を階段状に配列してなる足場板支持体を有することを特徴とする階段仮設足場。
【請求項１０】
前記支柱は、前記勾配方向に所定間隔を隔てて並列配置された複数の縦管を補強材によって相互連結した複合構造の鋼製組立柱からなることを特徴とする請求項９に記載の階段仮設足場。
【請求項１１】
前記支柱は、高さ調節可能なジャッキ式柱脚部を有することを特徴とする請求項１乃至１０のいずれか１項に記載の階段仮設足場。 
【請求項１２】
前記横架材及び／又は水平桁梁は、ラチス構造又はトラス構造の鋼製組立梁からなることを特徴とする請求項１乃至１１のいずれか１項に記載の階段仮設足場。
【請求項１３】
前記横架材及び／又は水平桁梁は、前記支柱の梁間方向スパン又は桁方向スパンに相応して該横架材又は水平桁梁の長さを調節するための伸縮構造を有することを特徴とする請求項１２に記載の階段仮設足場。
【請求項１４】
請求項１乃至１３のいずれか１項に記載された階段仮設足場を既存階段又は既設階段に設置し、前記足場板の下側に階段の常用歩行通路を形成することを特徴とする階段天井部分の施工方法。
【請求項１５】
請求項１乃至７のいずれか１項に記載された階段仮設足場を既存階段又は既設階段に設置する階段天井部分の施工方法であって、
前記梁及び横架材の高さ位置を前記支承部によって位置決めすることを特徴とする階段天井部分の施工方法。
【請求項１６】
請求項１５に記載された階段天井部分の施工方法において、
施工時に前記梁及び横架材の高さ位置を降下させ、非施工時に前記梁及び横架材の高さ位置を上昇させることを特徴とする階段天井部分の施工方法。
【発明の詳細な説明】
【技術分野】
【０００１】
本発明は、階段仮設足場に関するものであり、より詳細には、既存階段又は既設階段の天井の下地材、天井材、電気設備等を補修又は改修する補修・改修工事等のために既存階段等に設置される階段仮設足場に関するものである。
【背景技術】
【０００２】
鉄道等の公共輸送機関の駅構内や、地下街、アーケード商店街等には、不特定多数の人が利用する階段が配設される。多くの階段は、天井板等の天井材や、照明設備等を配設した天井構造体を備える。一般に、天井構造体を構成する天井材、天井下地材、照明設備等は、経年劣化等のために点検、補修又は改修等を要するので、点検、補修又は改修等のための補修・改修工事が定期的に実施される。
【０００３】
また、近年においては、天井構造体の耐震化が求められる傾向があり、既存建築物の天井構造体を補強又は改修する補強・改修工事が、比較的多くの公共施設等において実施されている。このような事情より、既存階段の天井構造体を耐震化するための補強工事又は耐震化工事が、公共輸送機関の駅構内等においても実施されている。
【０００４】
一般に、不特定多数の人が利用する公共施設又は公共輸送機関等においては、施設の利用時間帯に補修・改修工事、補強・改修工事等（以下、「改修工事等」という。）を実施し難いことから、利用者不在の深夜に改修工事等が実施される。この種の改修工事等においては、高所の天井構造体の補修、補強又は改修作業（以下、「改修作業等」という。）のために、天井面の下側に仮設足場が設置される。
【０００５】
図１及び図２は、鉄道の駅構内の既存階段等に設置された従来の階段仮設足場の構成を概略的に示す縦断面図及び正面図である。
【０００６】
図１及び図２において、床Ｆ１は、例えば、鉄道の乗降用プラットホームの床であり、床Ｆ２は、例えば、駅構内の連絡通路である。直階段形式等の既存階段Ｓ（以下、「階段Ｓ」という。）が、下階の床Ｆ１と上階の床Ｆ２との間を昇降するための昇降用歩行通路として床Ｆ１、Ｆ２の間に設けられる。階段Ｓの各段は、踏面Ｓｆ及び蹴込み面Ｓｋによって形成される。所望により、階段Ｓには、踊り場（図示せず）が設けられる。なお、「階段」は、踏面部分、踏板又は段板等の水平面(踏面)と、蹴込み板又は蹴込み部分等の起立面(蹴込み面)とを交互に形成した多段形態の構造体を意味するが、本明細書においては、「階段」は、手摺、側壁、天井、踊り場等を含む昇降歩行通路領域又は階段室全体を意味するものとする。
【０００７】
図１及び図２に示す如く、枠組足場用建枠、単管足場用建地材、或いは、楔足場用支柱等からなる支柱Ｐが階段Ｓの踏面Ｓｆ等に立設され、矢印で示す既存階段Ｓの勾配方向（昇降方向）に配向された枠組足場用鋼製布板等の足場板Ｊが支柱Ｐの間に架設される。かくして既存階段Ｓの通路領域に形成された階段仮設足場Ｔは、天井面の勾配に沿った全体的に階段状の作業床を形成する。既存階段Ｓの天井構造体Ｃを補修又は改修する作業者等は、足場板Ｊ上に載り、予定された改修作業等を遂行することができる。なお、階段仮設足場Ｔの端部に位置する支柱Ｐ等は、図１に示す如く、既存階段Ｓの最上段近傍の上階床部分や、既存階段Ｓの最下段近傍の下階床部分、或いは、中間レベルの踊り場等に立設される場合もあり、従って、本明細書においては、上階又は下階の床Ｆ１、Ｆ２や、踊り場等についても、踏面Ｓｆの一種として理解すべきものとする。
【０００８】
一般に、既存階段Ｓの天井高Ｈは、通常は、約４ｍ程度であり、足場板Ｊの最低高さｈ（踏面Ｓｆから足場板Ｊまでの最小鉛直距離）は、１．５〜２ｍ程度であるにすぎない。しかも、既存階段Ｓの幅Ｗ(壁面Ｓｗ間の距離)は、通常は、３ｍ以上の寸法であるので、支柱Ｐは、階段Ｓの通路領域にも立設される。このため、階段仮設足場Ｔの下側の空間は、利用者の常用歩行通路として使用することができず、従って、階段仮設足場Ｔは、改修作業等の開始直前に設置され、改修作業等の終了直後に解体・撤去される。
【０００９】
他方、建物等の新築工事や、不特定多数の利用者の通行を考慮する必要がない建物の改修工事等においては、このような作業時間の制約がないことから、比較的長期に亘って階段仮設足場を工事現場に存置することができる。このような階段仮設足場として、足場の踊り場から懸吊した吊り足場形式の階段仮設足場が、特開2000-213161号公報及び特開平9−242328号公報（特許文献１及び２）に記載されている。また、上階又は下階の床や、階段の踊り場に枠組足場等の枠体を配設し、枠体間に傾斜足場板を懸架した構成の階段仮設足場が、実開平6-14349号公報及び実開平5-42505号公報（特許文献３及び４）に記載されている。更に、階段の両側の壁体に支持した横架材を階段の幅方向に架設し、上階側の横架材と、下階側の横架材とに傾斜足場板を懸架した構成の階段仮設足場が、特開平7-317303号公報（特許文献５）に記載されている。
【先行技術文献】
【特許文献】
【００１０】
【特許文献１】特開2000-213161号公報
【特許文献２】特開平9−242328号公報
【特許文献３】実開平6-14349号公報
【特許文献４】実開平5-42505号公報
【特許文献５】特開平7-317303号公報
【発明の概要】
【発明が解決しようとする課題】
【００１１】
利用者不在の時間帯（深夜等）にのみ実施可能な既存階段の天井改修工事等において、図１及び図２に示す従来構成の階段仮設足場を用いた場合、階段仮設足場を作業開始直前に極めて短時間に足場組立を行うとともに、作業終了直後に極めて短時間に足場解体・撤去を行わなければならず、しかも、これらの作業を各作業日毎に繰り返し実施しなければらない。一般に、改修工事等は、数日又は数週間に亘って行われるので、各作業日毎に繰り返し実行される足場設置作業及び解体・撤去作業は、多大な労力を要する極めて非効率的な作業である。加えて、仮設足場用の仮設資材及び機材は、利用者が施設を利用する時間帯には階段又はその近傍に仮置きすることができない状況の工事現場が多く、このため、作業日毎に仮設資材等の場内搬入及び場外搬出を繰り返し行う必要が生じるので、仮設資材等の搬入・搬出作業のために多大な労力及び作業時間を要するという問題がある。
【００１２】
これに対し、上記特許文献１〜５に記載された構成の階段仮設足場を階段天井の改修作業等において使用して、足場板の最低高さｈ（図１）を増大し、これにより、各作業日における階段仮設足場の設置及び解体・撤去を省略可能にすることも考慮し得る。しかし、公共交通機関等の階段は、通常の建物の階段に比べて、階段の幅や、階段全体の高低差（階高）が大きく、このため、上記特許文献１〜５に記載された階段仮設足場を公共交通機関等の階段天井の改修工事等において使用することは、仮設足場の構造強度上、極めて困難である。
【００１３】
しかも、上記特許文献１〜５に記載された階段仮設足場では、歩行通路方向に敷設された足場板が、階段全体の勾配と同等又は同程度の勾配に傾斜しているので、足場上の作業者は、重心が不安定な状態で作業を遂行せざるを得ない。しかも、この構成の階段仮設足場には、作業者が移動の際に足場上で滑り易いという問題がある。従って、仮に上記特許文献１〜５に記載された構成の階段仮設足場を公共交通機関等の階段天井の改修作業等において使用し得たとしても、作業性が悪化するという問題が生じる。
【００１４】
本発明は、このような課題に鑑みてなされたものであり、その目的とするところは、天井改修作業等の作業日毎に実施される足場の設置作業及び解体・撤去作業を簡素化し又は省略可能にし、しかも、作業性が良好な水平作業床を形成することができる階段仮設足場を提供することにある。
【課題を解決するための手段】
【００１５】
上記目的を達成すべく、本発明は、階段の天井部分の施工のための階段仮設足場において、 
階段の桁方向及び幅方向に間隔を隔てて階段の踏面に立設され、階段の側壁近傍又は手摺近傍の側部帯域に配置される支柱と、 
前記支柱に支持されて該支柱の間に架設され、両側の前記側部帯域において桁方向に延びる段付き斜行梁又は水平桁梁と、 
階段の両側の前記支柱に支持されて該支柱の間に架設され、階段の幅方向に延びる横架材と、 
階段の幅方向に配向され、前記天井部分の下側に作業床を形成する足場板とを有し、 
前記支柱は、高さ方向に間隔を隔てて配置された複数の支承部を有し、該支承部は、前記斜行梁又は水平桁梁の端部に設けられた係止具を支承するとともに、前記横架材の端部に設けられた係止具を支承することを特徴とする階段仮設足場を提供する。
本発明の階段仮設足場は更に、以下の(1)及び／又は(2)の構成を有する。
(1)桁方向に間隔を隔てて配置された上記横架材の間には、桁方向に延びる段付き斜行小梁又は水平小梁が架設され、斜行小梁又は水平小梁の各端部は、横架材によって支承され、上記足場板は、上記斜行梁又は水平桁梁と斜行小梁又は水平小梁とによって水平に支承される（請求項１）。
(2)上記支柱は、所定間隔を隔てて並列配置された複数の縦管を上記支承部によって相互連結した複合構造の鋼製組立柱からなる（請求項２）。
本発明は又、階段の天井部分の施工のための階段仮設足場において、 
階段の勾配方向及び幅方向に間隔を隔てて階段の踏面に立設され、階段の側壁近傍又は手摺近傍の側部帯域に配置される支柱と、 
前記支柱に支持されて該支柱の間に架設され、両側の前記側部帯域において前記勾配方向に延びる段付き斜行梁と、 
階段の両側の前記支柱に支持されて該支柱の間に架設され、階段の幅方向に延びる横架材と、 
階段の幅方向に配向され、前記天井部分の下側に作業床を形成する足場板とを有し、 
前記斜行梁は、前記足場板を支承する複数の水平部分を階段状に配列してなる足場板支持体を有し、 
前記足場板は、前記足場板支持体に支承され、前記天井部分の下側に延在する階段状の作業床を階段の上部空間に形成することを特徴とする階段仮設足場を提供する。
本発明の階段仮設足場は更に、以下の(1)及び／又は(2)の構成を有する。
(1)上記支柱は、勾配方向に所定間隔を隔てて並列配置された複数の縦管を補強材によって相互連結した複合構造の鋼製組立柱からなる（請求項８）。
(2)勾配方向に延びる段付き斜行小梁が上記横架材の間に架設され、斜行小梁の各端部は、横架材によって支承され、斜行小梁は、上記足場板を支承する複数の水平部分を階段状に配列してなる足場板支持体を有する（請求項９）。
なお、本明細書において、「桁方向」は、平面視において階段の幅方向と実質的に直交する方向、平面視において階段の側壁又は手摺と実質的に平行な方向、或いは、平面視における階段通路の歩行方向を意味するものとする。
【００１６】
本発明の上記構成によれば、斜行梁の水平部分、或いは、水平桁梁の水平部分に支持された足場板は、作業性が良好な水平作業床を階段の上部空間に形成する。適切な高さ位置にレベル設定された斜行梁又は水平桁梁は、足場板の下側に通路空間を形成することができる。例えば、斜行梁は、全体的に階段勾配方向に延びるので、各段部に支持された足場板の下側には、全長に亘って概ね均等又は同等の高さを有し且つ階段勾配方向に延びる通路空間が形成される。
【００１７】
また、階段架設足場の骨組は、階段の側部帯域において支柱を踏面（前述のとおり、上階及び下階の床面、踊り場の床面等を含む。）に立設し、支柱間に横架材及び斜行梁を架設することにより形成される。このような構成によれば、階段の歩行通路領域に支柱を立設せず、階段の全幅と概ね同等又は同程度の幅を有する通路空間を足場板の下側に形成することができるので、不特定多数の利用者が階段を利用する時間帯においても、階段仮設足場を既設階段に存置し、改修工事等の作業日毎に行われる足場の設置作業及び解体・撤去作業を省略することが可能となる。
【００１８】
更に、上記支承部を備えた階段仮設足場によれば、例えば、比較的天井高が低い階段に上記足場を設置した工事現場において、斜行梁、水平桁梁及び横架材を施工時に降下させ、斜行梁、水平桁梁及び横架材を非施工時に上昇させる必要がある場合においても、上記支承部によって斜行梁、水平桁梁及び横架材の荷重を昇降移設作業時に過渡的に支持することができるので、斜行梁、水平桁梁及び横架材の昇降移設作業を比較的容易に遂行することができる。
【００１９】
好ましくは、支承部は、上記係止具を係止可能な係止溝を有する。更に好ましくは、上記斜行梁又は水平桁梁の端部には、斜行梁又は水平桁梁を支柱に固定するための緊締具が取付けられ、横架材の端部には、横架材を支柱に固定するための緊締具が取付けられる。所望により、上記支柱は、高さ調節可能なジャッキ式柱脚部を有する。
【００２０】
また、足場板を支承する複数の水平部分を階段状に配列してなる足場板支持体を上記斜行梁（及び斜行小梁）に設けた仮設階段足場によれば、足場板は、足場板支持体に支承され、天井部分の下側に延在する階段状の作業床を階段の上部空間に形成する。また、上記水平桁梁（及び水平小梁）は、足場板を支承し、足場板は、天井部分の下側に延在する全体的に水平な作業床を階段の上部空間に形成する。
【００２１】
更に、斜行小梁又は水平小梁を備えた階段仮設足場によれば、足場板の支点間距離が短縮することから、汎用の足場板（例えば、枠組足場用の鋼製布板等）を階段の幅方向に敷設することができるので、公共輸送機関等の階段の全幅に相応した階段仮設足場を比較的容易に設置することができる。
【００２２】
好ましくは、上記横架材及び／又は水平桁梁は、ラチス構造又はトラス構造の鋼製組立梁からなり、長さ調節可能な伸縮構造を有し、横架材又は水平桁梁の長さは、支柱のスパン（柱間隔）に相応して調節される。
【００２３】
他の観点より、本発明は、上記構成の階段仮設足場を既存階段又は既設階段に設置し、足場板の下側に階段の常用歩行通路を形成することを特徴とする階段天井部分の施工方法を提供する。好ましくは、上記梁及び横架材の高さ位置は、支承部によって位置決めされる。所望により、施工時に梁及び横架材の高さ位置が降下され、非施工時に梁及び横架材の高さ位置が上昇される。
【００２４】
このような施工方法によれば、利用者不在の時間帯（深夜等）にのみ実施可能な階段天井の改修工事等において、利用者が階段を利用する時間帯に階段仮設足場を存置し又は全体的に上昇させることができるので、作業日毎に仮設足場を設置し且つ解体・撤去する作業を簡略化し又は省略することが可能となる。
【発明の効果】
【００２５】
本発明に係る階段仮設足場によれば、階段天井の改修作業等の作業日毎に実施される足場の設置作業及び解体・撤去作業を簡素化し又は省略可能にし、しかも、作業性が良好な水平作業床を階段天井の下側に形成することができる。
【００２６】
また、上記構成の階段仮設足場を用いた階段天井部分の施工方法によれば、利用者不在の時間帯にのみ実施可能な階段天井の改修工事等において、作業日毎に仮設足場を設置し且つ解体・撤去する作業を簡略化し又は省略することが可能となる。
【図面の簡単な説明】
【００２７】
【図１】図１は、鉄道の駅構内の既存階段等に設置された従来の階段仮設足場の構成を概略的に示す縦断面図である。
【図２】図２は、図１に示す階段仮設足場の概略正面図である。
【図３】図３は、本発明の好適な実施形態に係る階段仮設足場の構成を概略的に示す階段の縦断面図であり、階段仮設足場の支柱及び段付き斜行梁の部分拡大図を含む。
【図４】図４は、図１に示す階段仮設足場の概略正面図である。
【図５】図５は、図１に示す階段仮設足場の概略平面図である。
【図６】図６は、階段仮設足場を比較的低い天井高の階段において使用した状態を示す縦断面図である。
【図７】図７は、足場板及びその支持構造体を全体的に昇降させるように構成された階段仮設足場の構成を示す縦断面図であり、作業床レベルを全体的に降下させた状態が示されている。
【図８】図８は、図７に示す作業床レベルを全体的に上昇させた状態を示す縦断面図である。
【図９】図９（Ａ）〜図９（Ｄ）は、支柱の構造を示す平面図、正面図、側面図及び底面図であり、図９（Ｅ）及び図９（Ｆ）は、支承部の構造を示す正面図及び平面図であり、図９（Ｇ）は、複数の支柱を上下に連結する連結方法を示す支柱の部分正面図である。
【図１０】図１０（Ａ）及び図１０（Ｂ）は、斜行梁の端部を支柱に係留するための係留具の構造を示す正面図及び側面図であり、図１０（Ｃ）は、斜行梁を支柱に係留した状態を示す側面図である。
【図１１】図１１（Ａ）及び図１１（Ｂ）は、横架材の端部を支柱に係留するための係留具の構造を示す平面図及び側面図であり、図１１（Ｃ）は、横架材を支柱に係留した状態を示す側面図である。
【図１２】図１２（Ａ）及び図１２（Ｂ）は、横架材の平面図及び側面図であり、図１２（Ｃ）、図１２（Ｄ）及び図１２（Ｅ）は、図１２（Ｂ）のＩ−Ｉ線、II−II線及びIII−III線における断面図である。
【図１３】図１３は、天井高が高い階段に階段仮設足場を設置した状態を示す断面図である。
【図１４】図１４は、水平な天井面を有する階段に階段仮設足場を設置した状態を示す断面図である。
【発明を実施するための形態】
【００２８】
以下、添付図面を参照して、本発明の好適な実施形態について詳細に説明する。 
【００２９】
図３、図４及び図５は、本発明の好適な実施形態に係る階段仮設足場の構成を概略的に示す階段の縦断面図、正面図及び平面図である。図３は、階段仮設足場の支柱及び段付き斜行梁の部分拡大図を含む。
【００３０】
階段仮設足場１（以下、「足場１」という。）は、階段Ｓの踏面Ｓｆ（床面Ｆ１、Ｆ２を含む）に鉛直に立設された支柱２と、支柱２の頂部に架設された横架材３と、支柱２の頂部に架設された段付き斜行梁４（以下、「斜行梁４」という。）と、斜行梁４の段部に支承された足場板５とから構成される。足場板５は、例えば、枠組足場用の鋼製踏板からなる。
【００３１】
支柱２は、階段Ｓの左右の壁面Ｓｗに隣接して階段Ｓの側部帯域αに配置され、階段Ｓの勾配方向に間隔を隔てて足場１の桁方向に配列される。側部帯域αは、壁面Ｓｗから１ｍ以内、好ましくは、５０ｃｍ以内の範囲に設定される。支柱２の梁間方向スパン（柱間隔）Ｎは、階段Ｓの幅Ｗよりも若干小さい寸法に設定され、階段Ｓの中央帯域βには、支柱２等の歩行障害物が存在しない歩行可能空間が形成される。横架材３は、階段Ｓを横断するように階段Ｓの幅方向に配向され、支柱２の梁間方向スパンＮに亘って延在する。斜行梁４は、図３に矢印で示す階段Ｓの昇降通路方向に配向され、支柱２の桁行方向スパンＭに亘って階段勾配方向に延在する。
【００３２】
支柱２は、桁行方向に所定間隔を隔てて並列配置された一対の縦管２１と、高さ調節可能なジャッキ（扛重機）式の柱脚部２２と、縦管２１を一体的に連結する柱頭部２３とから構成される。縦管２１は、上下方向に所定間隔を隔てて配置された補強鋼材２８によって相互連結される。柱脚部２２のベースプレート２４は、階段Ｓの踏面Ｓｆ上に着座し、踏面Ｓｆによって支持される。ベースプレート２４から鉛直上方に延びる螺子部２５が、縦管２１を相互連結する基部２６に螺合し、基部２６に連結される。各縦管２１は、基部２６から鉛直上方に延び、柱頭部２３において相互連結される。このような複合構造の組立体からなる支柱２は、昇降通路方向に間隔（スパンＭ）を隔てて階段Ｓに立設され、柱頭部２３（又はその近傍）において縦管２１に連結された横架材３及び斜行梁４を支持する。
【００３３】
好ましくは、水平外力に対する足場１の剛性を向上すべく、壁面Ｓｗに支柱２を構造的に連繋又は連結する壁繋ぎ材等（図示せず）が、支柱２に間隔を隔てて配置される。更に好ましくは、階段Ｓの利用者が柱脚部２２に接触し、或いは、不測の外力又は衝撃等が脚部２２に作用するのを防止すべく、柱脚部２２は、合板、樹脂板、金属板等からなる仮設筐体２９（二点鎖線で図３の部分拡大図に示す）によって囲繞され又は保護される。
【００３４】
横架材３は、上下の鋼管３１を斜材３２によって相互連結してなるラチス構造又はトラス構造の組立材からなる。横架材３は、長さ調節可能な伸縮構造を有する。両側の支柱２の間に延びる横架材３の長さは、支柱２の梁間方向スパンＮに相応して調節される。横架材３の各端部は、仮設工事用クランプ部材等の緊締具（図示せず）によって両側の支柱２の柱頭部２３（又はその近傍）に緊結される。所望により、階段Ｓの構造体に対するアンカー固定等の固定手段又は係留手段により、柱脚部２２を階段Ｓに固定又は係留しても良い。
【００３５】
斜行梁４は、図３の部分拡大図に示すごとく、階段Ｓの勾配と同等又は同程度の勾配に傾斜した斜行鋼管４１と、斜行鋼管４１から一体的に上方に延びる複数の鋼製縦材４２と、鋼製縦材４２の間に架設された水平鋼管４３とから構成される。斜行鋼管４１は、壁面Ｓｗと平行に延び、鋼製縦材４２及び水平鋼管４３は、段状又は簓桁状の足場板支持体を斜行鋼管４１上に形成する。
【００３６】
斜行鋼管４１の各端部は、桁行方向に隣り合う支柱２の柱頭部２３（又はその近傍）に対し、仮設工事用クランプ部材等の緊締具４６によって緊結される。例えば、緊締具４６は、ブラケット４７に取付けられ、斜行梁４の端部に配設された突出部４８が、ボルト・ナット組立体等によってブラケット４７に連結される。
【００３７】
図４及び図５に示す如く、一対又は複数の小梁支持部材７が、横架材３の中間部分に支承され、段付き斜行小梁６（以下、「斜行小梁６」という。）の端部が小梁支持部材７に一体的に連結される。斜行小梁６及び小梁支持部材７は、階段Ｓの幅方向に間隔を隔てて配置される。斜行小梁６は、斜行梁４と実質的に同じ構成を有する。即ち、斜行小梁６は、図３の部分拡大図に括弧書き符号で示すように、階段Ｓの勾配と同等又は同程度の勾配に傾斜した斜行鋼管６１と、斜行鋼管６１から一体的に上方に延びる複数の鋼製縦材６２と、鋼製縦材６２の間に架設された水平鋼管６３とから構成される。斜行鋼管６１の各端部は、小梁支持部材７に一体的に連結される。斜行鋼管６１は、壁面Ｓｗ及び斜行鋼管４１と平行に延び、鋼製縦材６２及び水平鋼管６３は、斜行鋼管６１の上側に段状又は簓桁状の足場板支持体を形成する。
【００３８】
図５に示す如く、斜行梁４及び斜行小梁６は、足場板５の支点間距離だけ階段Ｓの幅方向に間隔を隔てて配置される。足場板５の両端部に設けられた足場板係止用フック部５２が、各段の水平鋼管４３、６３に係止され、これにより、階段Ｓの幅方向に敷設される。図３の部分拡大図に示すように、各水平鋼管４３、６３は、足場板本体５１の幅Ｂ'よりも僅かに大きい長さＢを有する。鋼製縦材４２、６２は、蹴込み面（踏面側の面）に一体的に取付けられた縦方向の鋼製帯板４４、６４を有する。鋼製帯板４４、６４は、水平鋼管４３、６３の端面を溶接手段等によって固着可能な鋼製縦材４２、６２の鋼管支持面又は鋼管接合面を形成する。鋼製帯板４４、６４の上端部は、上段側の水平鋼管４３、６３から鉛直上方に僅かに突出し、フック部５２が水平鋼管４３、６３から下段側に脱落又は変位するのを阻止する。所望により、各段の足場板５の隙間（蹴込み部分）を埋める蹴込み板状の起立板５５（図３の部分拡大図に破線で示す）が各段の足場板５上に配設される。
【００３９】
なお、図３に破線で示す如く、足場１上の作業の安全性を確保するための手摺９０が、足場１の両端部に設けられる。例えば、手摺９０は、仮設工事用クランプ部材等の緊締具によって足場用単管を横架材３に組付けることにより設置される。また、図３に破線で示す如く、作業者の昇降用の梯子９１が、足場１の端部において適所に配置される。
【００４０】
かくして斜行梁４及び斜行小梁６の各段の支承された足場板５は、階段状の作業床を階段Ｓの上部空間全域に形成する。所望により、足場板８（図４及び図５に一点鎖線で示す）が、左右の足場板５を架橋するように敷設され、これにより、階段Ｓの幅方向に実質的に連続する階段状の作業床が形成される。既存階段Ｓの天井構造体Ｃを補修又は改修する作業者等は、足場板５上に載り、予定された改修作業等を遂行することができる。
【００４１】
このような構成の足場１によれば、斜行梁４及び斜行小梁６が階段勾配と同等又は同程度の勾配で全体的に傾斜しているので、例えば、既存階段Ｓの天井高Ｈが４ｍであるとき、足場板５の高さｈ（階段Ｓの踏面Ｓｆから足場板５までの最小鉛直距離）を約２．１〜２．５ｍ程度に設定することができる。しかも、足場１は、階段Ｓの両側部分に支柱２を備えるにすぎず、従って、階段Ｓの中央帯域βには、利用者に歩行を妨げる支柱等の障害物が存在しない常用可能な通路が形成される。このため、足場１の下側の空間は、公共交通機関や公共施設等の利用時間帯に利用者の常用歩行通路として使用することができる。
【００４２】
図６は、このような構成の足場１を比較的低い天井高Ｈの階段Ｓにおいて使用した状態を示す階段Ｓの縦断面図である。
【００４３】
図３〜図５に示す実施形態は、足場板５の高さｈを約２．１〜２．５ｍ程度に設定し得る使用環境において足場１を用いた構成のものであるが、高さｈが２ｍ以下に低減してしまう使用環境や、高さｈを約２．５ｍ以上に増大することが望ましい使用環境が現実には存在する。例えば、天井高Ｈが約３ｍである階段１において、図６（Ａ）に示すように足場１を階段Ｓに設置すると、高さｈは、概ね１．５ｍ以下に低減するので、常用可能な通路を足場板５の下側に常時形成することができない。
【００４４】
このため、このような使用環境において利用者の常用歩行通路を足場板５の下側に形成するには、図６（Ｂ）に示す如く、公共交通機関や公共施設等の利用時間帯（即ち、非施工時）に足場板５を上昇させる必要があり、足場１は、そのような足場板５の上昇・降下に適した構造を備えることが望まれる。
【００４５】
図７及び図８は、足場板５及びその支持構造体を全体的に昇降させるように構成された階段仮設足場の構成を示す階段の縦断面図である。なお、図７以下の各図において、図３〜５に示す構成部材又は構成要素と実質的に同一又は同等の構成部材又は構成要素については、同一の参照符号が付されている。
【００４６】
図３〜５に示す足場１と同様、図７に示す足場１は、階段Ｓの踏面Ｓｆ等に鉛直に立設された支柱２と、支柱２の頂部に架設された横架材３と、支柱２の架設された斜行梁４と、斜行梁４の段部に支承された足場板５とから構成されるが、各支柱１は、横架材３及び斜行梁４を支承する複数の支承部７０を備える。支承部７０は、支柱２に所定間隔を隔てて等間隔に配置される。横架材３及び斜行梁４の端部が、支承部７０に支承されるとともに、仮設工事用クランプ部材等の緊締具によって支柱２に固定される。横架材３及び斜行梁４は、利用者不在の時間帯（深夜等の施工時）には、図７に示すように支柱２の中間高さ部分に配置され、公共交通機関や公共施設等の利用時間帯（非施工時）には、図８に示す如く、全体的に支柱２の頂部レベルに配置される。なお、図７及び図８には、高さ方向の位置関係を容易に理解し得るように、手摺Ｋが図示されている。
【００４７】
図９（Ａ）〜図９（Ｄ）は、支柱２の構造を示す平面図、正面図、側面図及び底面図であり、図９（Ｅ）及び図９（Ｆ）は、支承部７０の構造を示す正面図及び平面図である。また、図９（Ｇ）は、複数の支柱２を上下に連結する連結方法を示す支柱２の部分正面図である。
【００４８】
支柱２は、図３に示す支柱２と同じく、縦管２１、柱脚部２２及び柱頭部２３を一体化した構造を有するが、図３に示す支柱２と異なり、上下方向に所定間隔を隔てて配置された支承部７０を備える。例えば、本実施形態においては、支柱２の高さは、約２．７ｍであり、支承部７０の間隔は、約４０ｃｍである。図９（Ｆ）に示すように、各支承部７０は、支承板７１を支柱２の各面に対称に配置した構造を有し、各支承板７１は、左右の縦管２１を架橋するように各縦管２１に固定される。各支承板７１の中央部は、補強板７２によって相互連結される。支承板７１及び補強板７２によって、全体的にボックス形状又は筐体形状の支承部７０が等間隔の節状に支柱２に形成される。
【００４９】
各支承板７１は、一対の係止溝７３を上縁部の中央領域に備えるとともに、縦管２１との各連結部に係止溝７４を備える。係止溝７３、７４は、後述する如く、横架材３及び斜行梁４の係止用フック部８２、９２（図１０、図１１）を係止するために使用される。
【００５０】
図９（Ａ）及び図９（Ｄ）に示すように、柱脚部２２及び柱頭部２３は、複数のボルト挿通孔２２ａ、２３ａを穿設した所定厚の鋼板からなる。図９（Ｇ）に示す如く、支柱連結部２０において複数の支柱２を上下に連接し、ボルト挿通孔２２ａ、２３ａに挿通したボルト・ナット組立体２７を締付け、これにより、上下の支柱２を一体的に相互連結することができる。
【００５１】
図１０（Ａ）及び図１０（Ｂ）は、斜行梁４の端部を支柱２に係留するための係留具８０の構造を示す正面図及び側面図であり、図１０（Ｃ）は、斜行梁４を支柱２に係留した状態を示す側面図である。
【００５２】
図１０（Ａ）及び図１０（Ｂ）に示す如く、係留具８０は、上下方向に延びる溝形断面の基部８１と、基部８１の基面８１ａに突設された左右一対のフック部８２と、基面８１ａに取付けられた仮設工事用クランプ部材等の緊締具８３と、ワイヤー等の可撓線材８４によって基部８１の上部に係留されたトグルピン８５と、基部８１の中空部を横断する円形断面の水平杆材８６とから構成される。図１０（Ｃ）に示すように、フック部８２は、支承部７０の係止溝７４に係止され、緊締具８３は、支柱２の縦管２１に緊結される。
【００５３】
斜行梁４の端部に固定された受け金具４９の凹所４９ａが、水平杆材８６に支承され、斜行梁４の荷重は、係留具８０を介して縦管２１に伝達し、縦管２１によって支持される。トグルピン８５は、基部８１の左右の側壁に穿設された円形開口部８７に挿通され、受け金具４９の円形開口部（図示せず）を貫通する。なお、水平鋼管４３の突出端に固定された鋼製帯板４４ａは、足場板５のフック部５２（図５）が水平鋼管４３から下段側に脱落又は変位するのを阻止するためのものである。
【００５４】
図１１（Ａ）及び図１１（Ｂ）は、横架材３の端部を支柱２に係留するための係留具９０の構造を示す平面図及び側面図であり、図１１（Ｃ）は、横架材３を支柱２に係留した状態を示す側面図である。また、図１２（Ａ）及び図１２（Ｂ）は、横架材３の平面図及び側面図であり、図１２（Ｃ）、図１２（Ｄ）及び図１２（Ｅ）は、図１２（Ｂ）のＩ−Ｉ線、II−II線及びIII−III線における断面図である。
【００５５】
図１１（Ａ）及び図１１（Ｂ）に示す如く、係留具９０は、上下方向に延びる溝形断面の基部９１と、基部９１の基面９１ａに突設された左右一対のフック部９２と、ワイヤー等の可撓線材９４によって基部９１の上部に係留されたトグルピン９５と、基部９１の中空部を横断する円形断面の水平杆材９６とを備える。仮設工事用クランプ部材等の緊締具９３が、対をなして基部９１に取付けられる。緊締具９３は、対をなす支持具９７によって基部９１に一体的に連結される。支持具９７は、緊締具９３を各縦管２１に対して適切に緊結し得るように、基部９１の中心軸線９１ｂに対して所定の角度θをなす方向に対称配置される。図１１（Ｃ）に示すように、フック部９２は、支承部７０の係止溝７３に係止され、緊締具９３は、左右の縦管２１に夫々緊結される。
【００５６】
図１２には、横架材３の構造が示されている。横架材３は、その両端部に配置された伸縮部３ａと、伸縮部３ａに接続された中央部３ｂとから構成される。伸縮部３ａは、中央部３ｂに対して入れ子式構造に連結され、横架材３の全長は、中央部３ｂに対する伸縮部３ａの伸長量によって調節される。
【００５７】
伸縮部３ａは、上下の水平鋼管３１ａを斜材３２ａによって相互連結してなるラチス構造又はトラス構造の組立材からなり、中央部３ｂは、上下の水平鋼管３１ｂを斜材３２ｂによって相互連結してなるラチス構造又はトラス構造の組立材からなる。水平鋼管３１ａの外径は、水平鋼管３１ｂの内径よりも小さく、水平鋼管３１ａは、水平鋼管３１ｂ内に挿入される。水平鋼管３１ｂは、水平鋼管３１ａの伸縮時に斜材３２ａの変位を可能にする切欠き部３１ｃを備える。
【００５８】
横架材３は、水平鋼管３１ａを相互連結する端金具３３を有し、受け金具３４が、端金具３３の下面に固定される。受け金具３４は、下方に開口した凹所３４ａを備える。端金具３３の上部には、水平貫通孔３５が穿設される。横架材３は又、ワイヤー等の可撓線材３７によって斜材３２ｂに係留されたトグルピン３８を備える。トグルピン３８は、水平管材３１ａ、３１ｂに穿設された水平貫通孔３１ｄ、３１ｅに挿通孔され、水平鋼管３１ｂに対する水平鋼管３１ａの伸縮位置を固定する。
【００５９】
図１１（Ｃ）に示す如く、端金具３３が基部９１の中空部に挿入され、受け金具３４の凹所３４ａが水平杆材９６によって支承される。トグルピン９５が、基部９１の左右の側壁に穿設された円形開口部９８に挿通され、端金具３３の水平貫通孔３５を貫通する。横架材３の荷重は、係留具９０を介して縦管２１に伝達し、縦管２１によって支持される。
【００６０】
このような構成によれば、図７及び図８に示す足場１の降下位置（図７）及び上昇位置（図８）を支承部７０の位置に相応して位置決めすることができる。また、足場１を人為的作業又は機械器具で降下位置（図７）又は上昇位置（図８）に昇降移設する際、緊締具８３、９３の締付け力を解放して斜行梁４及び横架材３を支柱２から離脱させた後、斜行梁４及び横架材３を上昇又は降下させ、しかる後、支承部７０の係止溝７３、７４に対してフック部８２、９２を係止して、斜行梁４及び横架材３の荷重を支承部７０によって過渡的に支承し、この状態で、緊締具８３、９３を支柱２の縦管２１に締付ければ良い。即ち、斜行梁４及び横架材３の昇降移設時には、緊締具８３、９３の解放作業及び締付け作業を実施する必要があるが、これらの作業を行なう際、斜行梁４及び横架材３の荷重が支承部７０によって少なくとも過渡的に支承された状態であるので、緊締具８３、９３の解放作業及び締付け作業を比較的容易に実施することができる。
【００６１】
図１３は、天井高が高い階段Ｓに足場１を設置した状態を示す断面図であり、図１３は、天井面が水平な天井構造体Ｃを有する階段Ｓに足場１を設置した状態を示す断面図である。図１３及び図１４には、図７〜図１２に示す構造を適用した足場１の他の使用形態が示されている。
【００６２】
支柱２の柱脚部２２及び柱頭部２３は、図９（Ｇ）に示す如く、支柱連結部２０によって相互連結することができるので、図１３に例示するように天井高が極めて高い階段Ｓにおいても足場１を形成することができる。
【００６３】
また、斜行梁４を支柱２に係留するための係留具８０は、図１０（Ｃ）に符号８６'で示す位置に水平杆材８６を移設可能に構成することができる。変形例として、符号８６'の位置に第２の水平杆材を予め設けるとともに、水平杆材８６を着脱可能に構成することも可能である。このように構成された係留具８０によれば、水平杆材８６を移設又は撤去することにより、横架材３の端金具３３を係留具８０によって支持することができる。図１４には、横架材３の端金具３３を係留具８０によって支持し、階段Ｓの左右の壁面Ｓｗに沿った位置に横架材３を架設した状態、即ち、横架材３を桁梁４'として支柱２の間に架設した状態が示されている。
【００６４】
また、図１４に示す足場１においては、横架材３が、桁方向の小梁（図示せず）として、階段Ｓの幅方向に延びる横架材３に支持されるとともに、足場板５が桁梁４'及び小梁によって支持される。このように構成された足場１は、全体的に水平な作業床を天井構造体Ｃの下側に形成するので、水平な天井面の天井構造体Ｃを有する階段Ｓにおいて好ましく使用し得る。
【００６５】
以上、本発明の好適な実施例について詳細に説明したが、本発明は上記実施例に限定されるものではなく、特許請求の範囲に記載された本発明の範囲内で種々の変形又は変更が可能であることはいうまでもない。 
【００６６】
例えば、本発明の階段仮設足場は、側壁を有する駅構内等の直階段のみならず、折曲がり階段、折返し階段、踊り場付き階段等の各種形態の階段や、地下街等に設けられた階段、或いは、手摺のみを有する開放型の階段等において使用することができる。
【００６７】
また、本発明の足場装置は、既存階段の改修工事等のみならず、建物等の新築工事又は新設工事における階段の施工において使用しても良い。
【産業上の利用可能性】
【００６８】
本発明は、階段の天井部分の施工のための階段仮設足場に適用される。本発明は殊に、既存階段の天井の下地材、天井材、電気設備等を補修又は改修する改修工事等のために既存階段等に設置される階段仮設足場に好ましく適用される。本発明の階段仮設足場によれば、階段天井の改修作業等の作業日毎に実施される足場の設置作業及び解体・撤去作業を簡素化し又は省略可能にするとともに、作業性が良好な水平作業床を形成することができるので、その実用的効果は、顕著である。
【符号の説明】
【００６９】
１  階段仮設足場
２  支柱
３  横架材
４  段付き斜行梁
４'  桁梁
５  足場板
６  斜行小梁
７  小梁支持部材
７０  支承部
７１  支承板
７３、７４  係止溝
８０、９０  係留具
８２、９２  フック部
８３、９３  緊締具
Ｓ  既存階段
Ｃ  天井構造体
Ｓｗ  壁面
Ｗ  階段の幅
Ｎ  支柱の梁間方向スパン
Ｍ  支柱の桁行方向スパン
Ｓｆ  踏面
Ｓｋ  蹴込み面
α  側部帯域
β  中央帯域
【図１】
0006590512.tif 000002
【図２】
0006590512.tif 000003
【図３】
0006590512.tif 000004
【図４】
0006590512.tif 000005
【図５】
0006590512.tif 000006
【図６】
0006590512.tif 000007
【図７】
0006590512.tif 000008
【図８】
0006590512.tif 000009
【図９】
0006590512.tif 000010
【図１０】
0006590512.tif 000011
【図１１】
0006590512.tif 000012
【図１２】
0006590512.tif 000013
【図１３】
0006590512.tif 000014
【図１４】
0006590512.tif 000015